(57)【要約】【課題】  表示すべき情報が欠けることなくかつブランキング部分を生じさせることなく、表示画面の焼き付きを軽減可能な画像表示制御装置を提供する。【解決手段】  画像表示制御装置１においては、静止画検出部１５及び時間計測部１６によって入力画像が一定時間変化しないことを検出すると、解像度変換部１２は入力画像の所定領域を所定の縮小率で解像度変換し、他の領域を他の拡大率で解像度変換する。入力画像がさらに一定時間変化しないことが検出されると、位置変更用タイミング制御部１４によって縮小率最大及び／又は拡大率最大の位置を移動させる。【選択図】      図１
2006048068.tif 000002
【特許請求の範囲】
【請求項１】
入力画像を表示デバイスの解像度に合わせて均等に縮小又は均等に拡大した、あるいは解像度変換しない表示画像に対して、同一画面内において前記表示画像を縮小する領域と、拡大する領域を設けることにより前記表示画像の解像度を変換する解像度変換手段と、前記表示画像の拡大率及び縮小率を変更するように制御する制御手段とを有し、前記解像度変換手段は、前記入力画像の所定領域を所定の縮小率で解像度変換し、前記入力画像の他の領域を他の拡大率で解像度変換し、かつ前記画像信号の縮小率最大及び／又は拡大率最大の位置を移動させることにより、表示すべき情報が欠けることなく、画面には同じ情報を表示しながら、表示デバイス上のある１つの表示位置に注目すれば表示内容が時間的に変化することを特徴とする画像表示制御装置。
【請求項２】
前記入力画像が一定時間変化しないことを検出する検出手段を更に有し、前記制御手段は、前記検出手段で前記入力画像が一定時間変化しないことが検出されたときに、前記画像信号の縮小率最大及び／又は拡大率最大の位置を移動させることを特徴とする請求項１に記載の画像表示制御装置。
【請求項３】
前記解像度変換手段は、前記表示画像信号の対角線方向について縮小率最大の位置と拡大率最大の位置とはその方向の夫々の一方の端部と他方の端部になるように前記表示画像の解像度を変換することを特徴とする請求項１に記載の画像表示制御装置。
【請求項４】
前記解像度変換手段は、前記入力画像の画像信号が表示されないブランキング部分が生じないように前記表示画像の解像度を変換することを特徴とする請求項１乃至３のいずれか１項に記載の画像表示制御装置。
【請求項５】
入力画像を表示デバイスの解像度に合わせて均等に縮小又は均等に拡大した、あるいは解像度変換しない表示画像に対して、表示サイズと表示位置を変えることにより同一画面内において前記表示画像を縮小する領域と、拡大する領域を設け、画面には同じ情報を表示しながら、表示デバイス上のある１つの表示位置に注目すれば表示内容が時間的に変化することを特徴とする表示画面の焼き付き軽減方法。
【請求項６】
前記縮小する領域と拡大する領域の位置を変えることにより、表示デバイス上のある１つの表示位置に注目すれば表示内容が時間的に変化することを特徴とする請求項５に記載の表示画面の焼き付き軽減方法。
【請求項７】
同一画面内において前記表示画像の縮小率及び／又は拡大率を位置により不均一にすることを特徴とする請求項５に記載の標示画面の焼き付き軽減方法。
【請求項８】
前記入力画像の画像信号が表示されないブランキング部分が生じないように表示サイズと表示位置を変えることを特徴とする請求項５乃至７のいずれか１項に記載の表示画面の焼き付き軽減方法。
【請求項９】
入力画像の表示装置への表示を制御する画像表示制御装置に前記表示装置の表示画面の焼き付きを軽減するための焼き付き軽減制御プログラムを記録した記録媒体であって、前記焼き付き軽減制御プログラムは、前記画像表示制御装置に、入力画像を表示デバイスの解像度に合わせて均等に縮小又は均等に拡大した、あるいは解像度変換しない表示画像に対して、表示サイズと表示位置を変えることにより同一画面内において前記表示画像を縮小する領域と、拡大する領域を設け、画面には同じ情報を表示しながら、表示デバイス上のある１つの表示位置に注目すれば表示内容が時間的に変化するものであることを特徴とする表示画面の焼き付き軽減制御プログラムを記録した記録媒体。
【発明の詳細な説明】
【技術分野】
【０００１】
本発明は画像表示制御装置、表示画面の焼き付き軽減方法及びその制御プログラムを記録した記録媒体に関し、特にパーソナルコンピュータに用いられる表示装置の焼き付き防止方法に関する。
【背景技術】
【０００２】
従来、この種の表示装置としては、ＣＲＴ（Ｃａｔｈｏｄｅ−Ｒａｙ  Ｔｕｂｅ）や、液晶ディスプレイ（ＬＣＤ：Ｌｉｑｕｉｄ  Ｃｒｙｓｔａｌ  Ｄｉｓｐｌａｙ）及びプラズマディスプレイパネル（ＰＤＰ：Ｐｌａｓｍａ  Ｄｉｓｐｌａｙ  Ｐａｎｅｌ）等の表示デバイスがある。
【０００３】
この表示装置の表示画面には静止画が表示されることが多く、表示画面の焼き付き防止や省電力化を目的として、ソフトウェアによるスクリーンセーバ機能がよく使用されている。
【０００４】
特開平８−２８６６４７号公報には上記のスクリーンセーバ動作において正規画像の表示内容を容易とし、焼き付け防止の効果を高める表示装置が提案されている。
【０００５】
すなわち、上記の公報記載の焼き付け防止方法では、表示画面の同一場所に同一画像を長時間表示し続けると発生する画面の焼き付けを防止する際に、現在動作中の画像を画面の表示面積以下の画像に処理し、その画像を画面内で移動させることで、上記の効果を得られるようにしている。
【０００６】
【特許文献１】特開平８−２８６６４７号公報
【発明の開示】
【発明が解決しようとする課題】
【０００７】
上述した従来の焼き付け防止方法では、ソフトウェアの使い方次第でスクリーンセーバ機能が働くまでの時間が長かったり、全く働かなかったりするため、誤って焼き付きを生じてしまうことがある。
【０００８】
また、案内表示や設備機械の情報表示等の長時間同じ画面を表示することを前提とした使い方においてはスクリーンセーバ機能を使用することができず、焼き付きが生じやすくなってしまうことがある。
【０００９】
さらに、液晶ディスプレイやプラズマディスプレイパネル等のドットマトリクス表示パネルではパーソナルコンピュータ規格の解像度にあわせた画素数で作られていることが多く、単に表示位置を変えるだけでは表示されない部分が生じ、情報が一部隠れてしまったり、パーソナルコンピュータの操作に支障をきたしたりして情報表示装置として十分に機能しないことになる。
【００１０】
さらにまた、上記の公報記載の焼き付け防止方法では、単に現在動作中の画像を画面の表示面積以下の画像に処理し、その画像を画面内で移動させているだけなので、画面内に画像が表示されないブランキング部分が生じ、何も表示されないことによって焼き付きが生じやすくなる。
【００１１】
そこで、本発明の目的は上記の問題点を解消し、表示すべき情報が欠けることなくかつブランキング部分を生じさせることなく、焼き付きを軽減することができる画像表示制御装置、表示画面の焼き付き軽減方法及びその制御プログラムを記録した記録媒体を提供することにある。
【課題を解決するための手段】
【００１２】
本発明に係る画像表示制御装置は、入力画像を表示デバイスの解像度に合わせて均等に縮小又は均等に拡大した、あるいは解像度変換しない表示画像に対して、同一画面内において前記表示画像を縮小する領域と、拡大する領域を設けることにより前記表示画像の解像度を変換する解像度変換手段と、前記表示画像の拡大率及び縮小率を変更するように制御する制御手段とを有し、前記解像度変換手段は、前記入力画像の所定領域を所定の縮小率で解像度変換し、前記入力画像の他の領域を他の拡大率で解像度変換し、かつ前記画像信号の縮小率最大及び／又は拡大率最大の位置を移動させることにより、表示すべき情報が欠けることなく、画面には同じ情報を表示しながら、表示デバイス上のある１つの表示位置に注目すれば表示内容が時間的に変化することを特徴とする。
【００１３】
この画像表示制御装置において、前記入力画像が一定時間変化しないことを検出する検出手段を更に有し、前記制御手段は、前記検出手段で前記入力画像が一定時間変化しないことが検出されたときに、前記画像信号の縮小率最大及び／又は拡大率最大の位置を移動させるように構成することが好ましい。
【００１４】
また、前記解像度変換手段は、前記表示画像信号の対角線方向について縮小率最大の位置と拡大率最大の位置とはその方向の夫々の一方の端部と他方の端部になるように前記表示画像の解像度を変換するように構成することができる。
【００１５】
更に、前記解像度変換手段は、前記入力画像の画像信号が表示されないブランキング部分が生じないように前記表示画像の解像度を変換するように構成することが好ましい。
【００１６】
本発明に係る表示画面の焼き付き軽減方法は、入力画像を表示デバイスの解像度に合わせて均等に縮小又は均等に拡大した、あるいは解像度変換しない表示画像に対して、表示サイズと表示位置を変えることにより同一画面内において前記表示画像を縮小する領域と、拡大する領域を設け、画面には同じ情報を表示しながら、表示デバイス上のある１つの表示位置に注目すれば表示内容が時間的に変化することを特徴とする。
【００１７】
この表示画面の焼き付き軽減方法において、前記縮小する領域と拡大する領域の位置を変えることにより、表示デバイス上のある１つの表示位置に注目すれば表示内容が時間的に変化するように構成することが好ましい。
【００１８】
また、同一画面内において前記表示画像の縮小率及び／又は拡大率を位置により不均一にするように構成することができる。
【００１９】
更に、前記入力画像の画像信号が表示されないブランキング部分が生じないように表示サイズと表示位置を変えることが好ましい。
【００２０】
本発明に係る表示画面の焼き付き軽減制御プログラムを記録した記録媒体は、入力画像の表示装置への表示を制御する画像表示制御装置に前記表示装置の表示画面の焼き付きを軽減するための焼き付き軽減制御プログラムを記録した記録媒体であって、前記焼き付き軽減制御プログラムは、前記画像表示制御装置に、入力画像を表示デバイスの解像度に合わせて均等に縮小又は均等に拡大した、あるいは解像度変換しない表示画像に対して、表示サイズと表示位置を変えることにより同一画面内において前記表示画像を縮小する領域と、拡大する領域を設け、画面には同じ情報を表示しながら、表示デバイス上のある１つの表示位置に注目すれば表示内容が時間的に変化するものであることを特徴とする。
【００２１】
これによって、表示すべき情報が欠けることなくかつブランキング部分を生じさせることなく、ＣＲＴ（Ｃａｔｈｏｄｅ−Ｒａｙ  Ｔｕｂｅ）や、液晶ディスプレイ（ＬＣＤ：Ｌｉｑｕｉｄ  Ｃｒｙｓｔａｌ  Ｄｉｓｐｌａｙ）、及びプラズマディスプレイパネル（ＰＤＰ：Ｐｌａｓｍａ  Ｄｉｓｐｌａｙ  Ｐａｎｅｌ）等の表示デバイス上に生じる焼き付きを軽減することが可能となる。
【００２２】
つまり、本発明では、表示画面のサイズと位置とを変える動作を組合せる動作を行うとともに、ブランキング部分の表示データを付加することで、表示すべき情報が欠けることなく、画面には同じ情報を表示しながら、表示デバイス上のある１つの表示位置に注目すれば表示内容が時間的に変化するので、焼き付きを軽減することができる。
【発明の効果】
【００２３】
本発明によれば、表示すべき情報が欠けることなくかつブランキング部分を生じさせることなく、焼き付きを軽減することができるという効果がある。
【発明を実施するための最良の形態】
【００２４】
次に、本発明の実施の形態について図面を参照して説明する。図１は本発明の第１の実施の形態による画像表示制御装置の構成を示すブロック図である。図１において、画像表示制御装置１はＡ／Ｄ（アナログ／ディジタル）変換部１１と、解像度変換部１２と、ブランキング指定部１３と、位置変更用タイミング制御部１４と、静止画検出部１５と、時間計測部１６と、サイズ／位置制御部１７とから構成されている。
【００２５】
また、画像表示制御装置１は表示デバイス［例えば、液晶ディスプレイ（ＬＣＤ：Ｌｉｑｕｉｄ  Ｃｒｙｓｔａｌ  Ｄｉｓｐｌａｙ）やプラズマディスプレイパネル（ＰＤＰ：Ｐｌａｓｍａ  Ｄｉｓｐｌａｙ  Ｐａｎｅｌ）等］２への画像表示を制御している。尚、画像表示制御装置１内の各部は図示せぬ制御メモリに格納されたプログラムの実行によって各処理を実現させており、制御メモリとしてはＲＯＭ（リードオンリメモリ）やＩＣ（集積回路）メモリが使用可能である。
【００２６】
表示デバイス２への６４０＊４８０ドット解像度の画像信号が入力されると、画像表示制御装置１はＡ／Ｄ変換部１１で入力された画像信号をディジタルデータに変換する。
【００２７】
解像度変換部１２はＡ／Ｄ変換部１１で変換されたディジタルデータを、サイズ／位置制御部１７からの画像サイズ指定データＤｓにしたがって６００＊４６０ドット解像度の画像データに変換する。
【００２８】
この時、変換された画像データは元の画像に対して水平方向４０ドット、垂直方向２０ドット分サイズが小さくなっているため、表示デバイス２に画像が表示されないブランキング部分が生じる。このブランキング部分に何の画像も表示されないと、その部分で焼き付きを生じやすくなるため、その焼き付けを避ける必要がある。
【００２９】
そのため、ブランキング指定部１３は解像度変換部１２からの画像データが入力されると、上記のブランキング部分にも何らかの表示を行えるよう、その画像データにブランキング部分の表示データを付加し、位置変更用タイミング制御部１４に出力する。
【００３０】
位置変更用タイミング制御部１４ではサイズ／位置制御部１７からの位置データＤｐにしたがってブランキング指定部１３からの画像データと水平／垂直同期信号Ｓｉとのタイミング関係を変え、画像データＤａと同期信号Ｓとを表示デバイス２に出力する。画像データと水平／垂直同期信号Ｓｉとのタイミングを変えるために、位置変更用タイミング制御部１４は入力した画像データＤｐと水平／垂直同期信号Ｓｉとをそれぞれ所望の時間だけ遅らせる。
【００３１】
表示デバイス２では画像データＤａと同期信号Ｓとのタイミングにしたがって画像データＤａの表示位置を決定する。サイズ／位置制御部１７は時間計測部１６からの焼き付き防止動作トリガ信号Ｔｒｇ及び焼き付き防止動作リセット信号Ｒｓｔにしたがって解像度変換部１２及び位置変更用タイミング制御部１４を制御し、焼き付き防止機能の動作を制御する。
【００３２】
図２は図１の静止画検出部１５の構成を示すブロック図である。図２において、静止画検出部１５はフレームメモリ１５ａと、フレーム間各画素データ比較部１５ｂと、一致数カウント部１５ｃと、カウント値比較部１５ｄと、静止画検出用しきい値記憶部１５ｅとから構成されている。
【００３３】
静止画検出部１５では入力画像が静止画であるかどうかを検出している。すなわち、静止画検出部１５では、まず１フレーム分の画像データをフレームメモリ１５ａに格納する。次のフレーム画像を入力した時にフレームメモリ１５ａの格納データを読出し、フレーム間画素データ比較部１５ｂで現在と１フレーム前の同じ位置の画像データを比較する。
【００３４】
フレーム間画素データ比較部１５ｂはそれらの画像データが一致していれば“１”を、不一致ならば“０”を表す信号をそれぞれ一致数カウント部１５ｃに出力する。一致数カウント部１５ｃではフレーム間画素データ比較部１５ｂから入力した“１”の数（一致した数）をカウントし、２フレーム間の一致画素数Ｃｎｔを求める。
【００３５】
次に、カウント値比較部１５ｄは静止画検出用しきい値記憶部１５ｅからの静止画検出用しきい値Ｓと一致数カウント部１５ｃからの一致画素数Ｃｎｔとを比較し、Ｃｎｔ≧Ｓの時に入力画像が静止画であると判定し、静止画判定信号Ｄｊを“１”として出力する。
【００３６】
図３は図１の時間計測部１６の構成を示すブロック図である。図３において、時間計測部１６は判定信号カウント部１６ａと、カウント値比較部１６ｂと、トリガ発生用しきい値記憶部１６ｃとから構成されている。
【００３７】
時間計測部１６は静止画判定信号Ｄｊを用いて、静止画が続いている時間ｔを計測し、サイズ／位置変更を行うための焼き付き防止動作トリガ信号Ｔｒｇ及び焼き付き防止動作リセット信号Ｒｓｔを発生する。
【００３８】
時間計測部１６では垂直同期信号ＶＳと静止画判定信号Ｄｊとを判定信号カウント部１６ａに入力する。判定信号カウント部１６ａは垂直同期信号ＶＳが入力された時に静止画判定信号Ｄｊが“１”の場合にそのカウント値を１つ進め、静止画判定信号Ｄｊが“０”の場合にそのカウント値をリセットする。この場合、カウント値ｔは静止画が続いている時間である。
【００３９】
カウント値比較部１６ｂは判定信号カウント部１６ａからのカウント値ｔとトリガ発生用しきい値記憶部１６ｃからのトリガ発生用しきい値ｔｘとを比較し、ｔ≧ｔｘの時に焼き付き防止動作トリガ信号Ｔｒｇを発生する。サイズ／位置制御部１７に焼き付き防止動作トリガ信号Ｔｒｇが入力されると、焼き付き防止動作を行うためにサイズ制御データＤｓと位置制御データＤｐとを出力する。
【００４０】
また、判定信号カウント部１６ａがリセットされてカウント値ｔ＝０になった時、カウント値比較部１６ｂは入力画像が動画であると判定し、焼き付き防止動作リセット信号Ｒｓｔを発生する。サイズ／位置制御部１７に焼き付き防止動作リセット信号Ｒｓｔが入力されると、焼き付き防止動作を解除するためにサイズ制御データＤｓと位置制御データＤｐとを出力し、サイズ変換と表示位置とを標準状態に戻す。
【００４１】
図４は本発明の第１の実施の形態による焼き付け防止動作の一例を示す図であり、図５は本発明の第１の実施の形態による焼き付け防止動作を示すフローチャートである。これら図１〜図５を参照して本発明の第１の実施の形態による焼き付け防止動作について説明する。以下、６４０＊４８０ドット解像度のプラズマディスプレイパネルを表示デバイス２として用いたパーソナルコンピュータ用の表示装置における適用例について説明する。
【００４２】
表示デバイス２への６４０＊４８０ドット解像度の画像信号が入力されると、画像表示制御装置１はその画像信号を通常、図４−Ａに示すように、解像度変換されていない状態で表示デバイス２に表示する（図５ステップＳ１）。
【００４３】
画像信号を解像度変換されていない状態で表示デバイス２に長時間表示すると、表示デバイス２には表示しているパターンの焼き付きが残ってしまう。そこで、画像表示制御装置１は静止画検出部１５及び時間計測部１６によって入力画像が一定時間変化しないことを検出すると（図５ステップＳ２）、図４−Ｂに示すように、解像度変換部１２で画像信号の解像度を変更して６００＊４６０ドットに縮小し、ブランキング指定部１３によってブランキング部分にグレー表示を行う（図５ステップＳ３，Ｓ４）。
【００４４】
さらに、画像表示制御装置１は静止画検出部１５及び時間計測部１６によって入力画像が一定時間変化しないことを検出すると（図５ステップＳ５）、図４−Ｃに示すように、位置変更用タイミング制御部１４によって縮小画像を右に移動するように、縮小画像及びブランキング部分の表示データを移動する（図５ステップＳ６）。
【００４５】
さらにまた、画像表示制御装置１は入力画像が一定時間変化しなければ（図５ステップＳ７）、一定時間毎に移動させ、図４−Ｂ〜Ｄの位置に順次表示する（図５ステップＳ６）。このように、画像表示制御装置１は縮小画像及びブランキング部分の表示データの移動を上下左右に行い、６４０＊４８０画面の中で６００＊４６０画像を任意の位置に移動させる。
【００４６】
また、画像表示制御装置１は縮小画像及びブランキング部分の表示データの移動を所定回数行う毎に（図５ステップＳ８）、画像信号を時々全画面表示に戻す動作（図５ステップＳ９）も組合せ、同じ表示状態が続かないようにし（図５ステップＳ３〜Ｓ１０）、表示デバイス２の表示画面の焼き付きを軽減する。
【００４７】
尚、画像の変換サイズ（縮小や拡大等）やブランキング部分の表示データの移動の距離、及び時間等を自由に変えることで、表示画像に応じて上記の効果を高める設定をすることができる。
【００４８】
図６は本発明の第２の実施の形態による焼き付け防止動作の一例を示す図であり、図７は本発明の第２の実施の形態による焼き付け防止動作を示すフローチャートである。本発明の第２の実施の形態による画像表示制御装置は図１〜図３に示す本発明の第１の実施の形態による画像表示制御装置１と同様の構成となっているので、その構成についての説明は省略する。
【００４９】
これら図１〜図３と図６と図７とを参照して本発明の第２の実施の形態による焼き付け防止動作について説明する。以下、６４０＊４８０ドット解像度のプラズマディスプレイパネルを表示デバイス２として用いたパーソナルコンピュータ用の表示装置における適用例について説明する。
【００５０】
表示デバイス２への８００＊６００ドット解像度の画像信号が入力されると、画像表示制御装置１は通常、図６−Ａに示すように、均等に縮小して６４０＊４８０ドット表示することが多いが（図７ステップＳ１１）、このまま長時間表示すると、表示デバイス２の表示画面に焼き付きが生じてしまう。
【００５１】
そこで、画像表示制御装置１は入力画像が一定時間変化しないことを検出すると（図７ステップＳ１２）、図６−Ｂに示すように、左上の縮小率を大きくし、右下方向の縮小率を小さくして６４０＊４８０ドットに縮小し（図７ステップＳ１３）、表示デバイス２に表示する。その際、ブランキング指定部１３によってブランキング部分の表示データが付加されることはない。
【００５２】
さらに、画像表示制御装置１は入力画像が一定時間変化しないと（図７ステップＳ１４）、図２−Ｃに示すように、今度は右下の縮小率を大きくし、左上の縮小率を小さくして表示する（図７ステップＳ１５）。
【００５３】
このように、画像表示制御装置１は画像信号の縮小の重心を移動させ、同じ表示状態が続かないようにし（図７ステップＳ１５〜Ｓ１７）、表示デバイス２の表示画面への焼き付きを軽減する。
【００５４】
また、画像表示制御装置１は画像信号の縮小の重心の移動を所定回数行う毎に（図７ステップＳ１７）、画像信号を時々均等の縮小率になるようにする動作（図７ステップＳ１８）も組合せ、同じ表示状態が続かないようにし（図７ステップＳ１３〜Ｓ１９）、ブランキング部分が生ずることなく、表示デバイス２の表示画面の焼き付きを軽減することができる。
【００５５】
図８は本発明の第３の実施の形態による焼き付け防止動作を示すフローチャートである。本発明の第３の実施の形態による画像表示制御装置は図１〜図３に示す本発明の第１の実施の形態による画像表示制御装置１と同様の構成となっているので、その構成についての説明は省略する。
【００５６】
これら図１〜図３と図８とを参照して本発明の第３の実施の形態による焼き付け防止動作について説明する。以下、６４０＊４８０ドット解像度のプラズマディスプレイパネルを表示デバイス２として用いたパーソナルコンピュータ用の表示装置における適用例について説明する。
【００５７】
表示デバイス２への６４０＊４８０ドット解像度の画像信号が入力されると、画像表示制御装置１は通常、そのまま６４０＊４８０ドット表示するが（図８ステップＳ２１）、このまま長時間表示すると、表示デバイス２の表示画面に焼き付きが生じてしまう。
【００５８】
そこで、画像表示制御装置１は入力画像が一定時間変化しないことを検出すると（図８ステップＳ２２）、画像の一部を縮小し、他の一部を拡大することによって変換後のサイズを６４０＊４８０ドットに保ち（図８ステップＳ２３）、表示デバイス２に表示する。その際、ブランキング指定部１３によってブランキング部分の表示データが付加されることはない。
【００５９】
さらに、画像表示制御装置１は入力画像が一定時間変化しないと（図８ステップＳ２４）、縮小及び拡大する領域を変えるように解像度を変更して表示する（図８ステップＳ２５）。
【００６０】
このように、画像表示制御装置１は画像信号の一部を縮小しかつ他の一部を拡大することで、同じ表示状態が続かないようにし（図８ステップＳ２５〜Ｓ２７）、表示デバイス２の表示画面への焼き付きを軽減する。
【００６１】
また、画像表示制御装置１は画像信号の縮小及び拡大する領域の変更を所定回数行う毎に（図８ステップＳ２７）、画像信号を元の解像度に戻すようにする動作（図８ステップＳ２８）も組合せ、同じ表示状態が続かないようにし（図８ステップＳ２３〜Ｓ２９）、ブランキング部分が生ずることなく、表示デバイス２の表示画面の焼き付きを軽減すことができる。
【００６２】
図９は本発明の第４の実施の形態による焼き付け防止動作を示すフローチャートである。本発明の第４の実施の形態による画像表示制御装置は図１〜図３に示す本発明の第１の実施の形態による画像表示制御装置１と同様の構成となっているので、その構成についての説明は省略する。
【００６３】
これら図１〜図３と図９とを参照して本発明の第４の実施の形態による焼き付け防止動作について説明する。以下、８００＊６００ドット解像度のプラズマディスプレイパネルを表示デバイス２として用いたパーソナルコンピュータ用の表示装置における適用例について説明する。
【００６４】
表示デバイス２への６４０＊４８０ドット解像度の画像信号が入力されると、画像表示制御装置１は通常、均等に拡大して８００＊６００ドット表示するが（図９ステップＳ３１）、このまま長時間表示すると、表示デバイス２の表示画面に焼き付きが生じてしまう。
【００６５】
そこで、画像表示制御装置１は入力画像が一定時間変化しないことを検出すると（図９ステップＳ３２）、左上の拡大率を大きくし、右下方向の拡大率を小さくして、つまり拡大率を不均一にして８００＊６００ドットに拡大し（図９ステップＳ３３）、表示デバイス２に表示する。その際、ブランキング指定部１３によってブランキング部分の表示データが付加されることはない。
【００６６】
さらに、画像表示制御装置１は入力画像が一定時間変化しないと（図９ステップＳ３４）、今度は右下の拡大率を大きくし、左上の拡大率を小さくして表示する（図９ステップＳ３５）。
【００６７】
このように、画像表示制御装置１は画像信号の拡大の重心を移動させ、同じ表示状態が続かないようにし（図９ステップＳ３５〜Ｓ３７）、表示デバイス２の表示画面への焼き付きを軽減する。
【００６８】
また、画像表示制御装置１は画像信号の拡大の重心の移動を所定回数行う毎に（図９ステップＳ３７）、画像信号を時々均等の拡大率になるようにする動作（図９ステップＳ３８）も組合せ、同じ表示状態が続かないようにし（図９ステップＳ３３〜Ｓ３９）、情報が欠けることなく、あるいはブランキング部分が生ずることなく、表示デバイス２の表示画面の焼き付きを軽減することができる。
【００６９】
図１０は本発明の第５の実施の形態による画像表示制御装置の構成を示すブロック図である。図１０において、本発明の第５の実施の形態による画像表示制御装置３はＤ／Ａ（ディジタル／アナログ）変換部３１を加え、表示デバイス２の代りにＣＲＴ（Ｃａｔｈｏｄｅ−Ｒａｙ  Ｔｕｂｅ）４に接続するようにした以外は、図１に示す本発明の第１の実施の形態による画像表示制御装置１と同様の構成となっており、同一構成要素には同一符号を付してある。また、同一構成要素の動作は本発明の第１の実施の形態と同様である。
【００７０】
本発明の第５の実施の形態による画像表示制御装置３は表示デバイスを持たない画像出力機器やＣＲＴ表示装置に本機能を適用するためのものである。この場合、アナログ画像信号を出力する必要があるので、位置変更用タイミング制御部１４から出力されたディジタル映像データＤａをＤ／Ａ変換部３１でＤ／Ａ変換してから外部出力端子あるいはＣＲＴ４に送出している。
【００７１】
尚、上記の第１〜第５の実施の形態においては静止画検出、画像サイズ変換、位置を移動させた表示画像信号の発生をハードウェアを用いて行っているが、これら静止画検出、画像サイズ変換、位置を移動させた表示画像信号の発生をソフトウェアで実現することも可能である。
【００７２】
このように、画像の解像度を変えながら表示位置を変えるとともに、解像度の変更でブランキング部分が生じた時に解像度を変更した画像信号にブランキング部分の表示データを付加することによって、表示デバイス２やＣＲＴ４の表示画面の焼き付きを軽減することができるとともに、情報が欠けない表示を同時に得ることができる。
【００７３】
ドットマトリクス表示装置においては、単に表示位置をずらせるだけでは元々表示されるべき画像が隠れてしまうが、画像サイズを縮小した状態で位置をずらすことによって、情報が欠けない表示を行いながら、表示デバイス２やＣＲＴ４の表示画面の焼き付きを軽減することができる。
【００７４】
また、表示デバイス２やＣＲＴ４における焼き付き現象は白黒が隣り合う画像のような、隣り合う画素間の輝度差が大きい画像を表示した時に起こりやすい。一方、解像度を変換する時、元の画像から高い周波数成分を除き、見た目にソフトな画像にすれば、隣り合う画素間の輝度差が減少する。したがって、解像度変換でソフトな画像を表示することだけによっても、表示デバイス２やＣＲＴ４の表示画面の焼き付きを軽減することができる。
【００７５】
さらに、近年、表示デバイス２のようなドットマトリクス表示装置に様々な解像度の映像を表示するために、表示デバイス２に解像度変換機能を搭載する必要性が高まっている。そこで、解像度変換機能を既に備えている装置において、上記の焼き付き防止動作を適用することは比較的簡単に低コストで行うことができる。
【００７６】
さらにまた、ＣＲＴ４を用いた表示装置において同様の効果を得ようとする場合、解像度変換でなく電子ビームの偏向動作によって画像サイズと位置とを変える方法が考えられるが、偏向動作の微妙な調整を必要とし、実現が困難である。一方、本発明による方法では解像度変換によるものであり、ディジタル処理によって比較的簡単に行うことができる。
【図面の簡単な説明】
【００７７】
【図１】本発明の第１の実施の形態による画像表示制御装置の構成を示すブロック図である。
【図２】図１の静止画検出部の構成を示すブロック図である。
【図３】図１の時間計測部の構成を示すブロック図である。
【図４】本発明の第１の実施の形態による焼き付け防止動作の一例を示す図である。
【図５】本発明の第１の実施の形態による焼き付け防止動作を示すフローチャートである。
【図６】本発明の第２の実施の形態による焼き付け防止動作の一例を示す図である。
【図７】本発明の第２の実施の形態による焼き付け防止動作を示すフローチャートである。
【図８】本発明の第３の実施の形態による焼き付け防止動作を示すフローチャートである。
【図９】本発明の第４の実施の形態による焼き付け防止動作を示すフローチャートである。
【図１０】本発明の第５の実施の形態による画像表示制御装置の構成を示すブロック図である。
【符号の説明】
【００７８】
１，３  画像表示制御装置
２  表示デバイス
４  ＣＲＴ
１１  Ａ／Ｄ変換部
１２  解像度変換部
１３  ブランキング指定部
１４  位置変更用タイミング制御部
１５  静止画検出部
１５ａ  フレームメモリ
１５ｂ  フレーム間各画素データ比較部
１５ｃ  一致数カウント部
１５ｄ  カウント値比較部
１５ｅ  静止画検出用しきい値記憶部
１６  時間計測部
１６ａ  判定信号カウント部
１６ｂ  カウント値比較部
１６ｃ  トリガ発生用しきい値記憶部
１７  サイズ／位置制御部
３１  Ｄ／Ａ変換部
【図１】
2006048068.tif 000003
【図２】
2006048068.tif 000004
【図３】
2006048068.tif 000005
【図４】
2006048068.tif 000006
【図５】
2006048068.tif 000007
【図６】
2006048068.tif 000008
【図７】
2006048068.tif 000009
【図８】
2006048068.tif 000010
【図９】
2006048068.tif 000011
【図１０】
2006048068.tif 000012